(57)【特許請求の範囲】
【請求項１】
電界吸収型の光変調器を駆動する駆動回路であって、
２ビットのディジタル信号を入力する第１入力端子および第２入力端子と、
前記第１入力端子に入力された第１ディジタル信号と前記第２入力端子に入力された第２ディジタル信号の論理レベルに応じて第１電流を線形に変化させ、電流を電圧に変換する電流電圧変換素子に前記第１電流を供給することにより、前記光変調器を駆動するための駆動電圧を生成するディジタル／アナログ変換部と、
前記第１ディジタル信号と前記第２ディジタル信号の論理レベルが相違する場合に、第２電流を、前記ディジタル／アナログ変換部の前記電流電圧変換素子に供給する非線形補償部と、を有する
ことを特徴とする駆動回路。
【請求項２】
請求項１に記載の駆動回路において、
前記ディジタル・アナログ変換部は、
前記電流電圧変換素子を有し、入力した電流に応じた電圧を生成する第１電圧生成部と、
電流を生成する第１電流回路と、
前記第１電流回路よりも大きい電流を生成する第２電流回路と、を有し、
前記第１入力端子に入力された第１ディジタル信号が第１論理レベルである場合に、前記第１電流回路の電流を前記第１電圧生成部に供給し、前記第１ディジタル信号が第２論理レベルである場合に前記第１電流回路の電流の前記第１電圧生成部への供給を停止する第１制御回路と、
前記第２入力端子に入力された第２ディジタル信号が前記第１論理レベルである場合に、前記第２電流回路の電流を前記第１電圧生成部に供給し、前記第２ディジタル信号が前記第２論理レベルである場合に前記第２電流回路の電流の前記第１電圧生成部への供給を停止する第２制御回路と、
前記非線形補償部は、
電流を生成する第３電流回路と、
前記第１ディジタル信号が前記第１論理レベル、且つ前記第２ディジタル信号が前記第２論理レベルである組合せの場合に、前記第３電流回路の電流を前記第１電圧生成部に供給し、それ以外の組合せの場合に、前記第３電流回路の電流の前記第１電圧生成部への供給を停止する第３制御回路と、を有する
ことを特徴とする駆動回路。
【請求項３】
請求項２に記載の駆動回路において、
前記第３電流回路は、電流が変更可能な可変電流源を含む
ことを特徴とする駆動回路。
【請求項４】
請求項２または３に記載の駆動回路において、
前記ディジタル／アナログ変換部は、
前記電流電圧変換素子を有し、入力した電流に応じた電圧を生成する第２電圧生成部を更に有し、
前記非線形補償部は、
電流を生成する第４電流回路と、
前記第１ディジタル信号が前記第２論理レベル、且つ前記第２ディジタル信号が前記第１論理レベルである組合せの場合に、前記第４電流回路の電流を前記第２電圧生成部に供給し、それ以外の組合せの場合に、前記第４電流回路の電流の前記第２電圧生成部への供給を停止する第４制御回路と、を更に有し、
前記第１制御回路は、前記第１ディジタル信号が前記第１論理レベルである場合に、前記第１電流回路の電流を前記第１電圧生成部に供給し、前記第１ディジタル信号が前記第２論理レベルである場合に、前記第１電流回路の電流を前記第２電圧生成部に供給し、
前記第２制御回路は、前記第２ディジタル信号が前記第１論理レベルである場合に、前記第１電流回路の電流を前記第１電圧生成部に供給し、前記第２ディジタル信号が前記第２論理レベルである場合に、前記第２電流回路の電流を前記第２電圧生成部に供給する
ことを特徴とする駆動回路。
【請求項５】
請求項２乃至４の何れか一項に記載の駆動回路において、
前記第３制御回路は、
一端が第１固定電位に接続された第１抵抗および第２抵抗と、
一端が前記第１抵抗の他端に接続された第１スイッチと、
一端が前記第２抵抗の他端に接続された第２スイッチと、
一端が前記第１スイッチの他端および前記第２スイッチの他端に接続された第３スイッチと、
一端が前記第１抵抗と前記第１スイッチとが接続される出力ノードに接続される第４スイッチと、
一端が前記第３スイッチの他端および前記第４スイッチの他端に接続され、他端が前記第１固定電位と異なる第２固定電位に接続される電流源と、
を含み、
前記第１スイッチおよび前記第２スイッチは、前記第１ディジタル信号の論理レベルに応じて何れか一方がオンし、
前記第３スイッチおよび前記第４スイッチは、前記第２ディジタル信号の論理レベルに応じて何れか一方がオンし、
前記第３電流回路は、前記出力ノードの電圧に応じて前記第１電圧生成部への電流の供給と遮断が制御される
ことを特徴とする駆動回路。
【請求項６】
請求項２乃至５の何れか一項に記載の駆動回路において、
前記第１電圧生成部は、Ｒ−２Ｒ型の抵抗ラダー回路を含む
ことを特徴とする駆動回路。
【請求項７】
発光素子を含み、一定強度の光を出力する発光部と、
入力された送信すべき信号に対して、４値のパルス振幅変調方式に応じたディジタル信号処理を行うことにより、２ビットのディジタル信号を生成するディジタル信号処理装置と、
前記ディジタル信号処理装置によって生成された２ビットのディジタル信号を入力する請求項２乃至６の何れか一項に記載の駆動回路と、
前記駆動回路の前記第１電圧生成部によって生成された電圧に応じて前記発光部から出力された光の強弱を変化させて出力する前記光変調器と、を備える
ことを特徴とする光送信器。
【発明の詳細な説明】
【技術分野】
【０００１】
本発明は、光変調器を駆動するための駆動回路、および上記光変調器と駆動回路を備えた光変調器に関し、例えば、４値のパルス振幅変調によって電界吸収型の光変調器を駆動するための駆動回路に関する。
【背景技術】
【０００２】
近年、通信トラヒックの増大に伴い、光ファイバを利用した光通信ネットワークの大容量化が求められている。特に、ネットワークの主要素であるイーサネット（Ｅｔｈｅｒｎｅｔ、登録商標）の大容量化が進展している。
光通信ネットワークの大容量化に伴って、イーサネットの標準規格は現在、１０ＧｂＥおよび４０ＧｂＥの標準化が完了しており、更なるなる大容量化を目指して、１００ＧｂＥまでの標準化が完了されつつある。また、今後のトラヒック増大に向けて、４００ＧｂＥの標準化の議論も開始されている。
【０００３】
１００ＧｂＥの伝送システムには、ＮＲＺ（Ｎｏｎ−Ｒｅｔｕｒｎ−ｔｏ−Ｚｅｒｏ）の伝送方式が用いられていたが、現在議論されている４００ＧｂＥの伝送システムには、ＮＲＺ以外に、ＤＭＴ（Ｄｉｓｃｒｅｔｅ  Ｍｕｌｔｉ  Ｔｏｎｅ）やパルス振幅変調（Ｐｕｌｓｅ  Ａｍｐｌｉｔｕｄｅ  Ｍｏｄｕｌａｔｉｏｎ）などの多値変調方式を用いた伝送方式の検討が進められている。
【０００４】
近年、これらの伝送方式の中でも、４値のパルス振幅変調（以下、「ＰＡＭ４」と称する。）により電界吸収型（Ｅｌｅｃｔｒｏ−Ａｂｓｏｒｐｔｉｏｎ）の光変調器（以下、「ＥＡ変調器」と称する）を駆動して光信号を生成し、伝送する伝送方式が注目されている。以下、この伝送方式について図を用いて説明する。
【０００５】
図１３は、従来のＥＡ変調器を用いたＰＡＭ４用光送信器のフロントエンドの構成を示す図である。
図１３に示す光送信器５００において、送信すべき信号（ＤＡＴＡ）をＤＳＰ（ｄｉｇｉｔａｌ  ｓｉｇｎａｌ  ｐｒｏｃｅｓｓｏｒ）５０によりディジタル信号処理を行った後、ディジタル／アナログ変換器（Ｄｉｇｉｔａｌ−ｔｏ−ａｎａｌｏｇ  Ｃｏｎｖｅｒｔｅｒ、以下、「ＤＡＣ」と称することがある。）５１を用いてディジタル信号処理された２ビットのディジタル信号Ｄ０，Ｄ１をアナログ信号に変換する。
【０００６】
図１４に、従来の一般的な２ｂｉｔのＤＡＣの回路構成を示す。
図１４に示すＤＡＣ５１の２つ入力端子にディジタル信号Ｄ０、Ｄ１を夫々入力することにより、図１５に示すように、ディジタル信号Ｄ０とディジタル信号Ｄ１の論理レベルの組合せに応じた４値のアナログ信号Ｖｏｕｔ５を生成することができる。このアナログ信号Ｖｏｕｔ５をバッファ回路（Ｌｉｎｅａｒ  ｄｒｉｖｅｒ）５２を介して駆動電圧ＶｏｕｔとしてＥＡ変調器５３に入力することにより、２ビットのディジタル信号Ｄ０，Ｄ１に応じて４段階に光の強度が変調された光信号ＯＰｏｕｔ５を生成することができる。このようにして生成された光信号ＯＰｏｕｔ５は、例えば、合波器５５によって他の光信号と合波されて光ファイバ５６に送信される。
【０００７】
図１６に、一般的なＥＡ変調器の消光特性を示す。
図１６において、横軸はＥＡ変調器の駆動電圧を表し、縦軸はＥＡ変調器から出力される光信号の強度を表している。
図１６に示されるように、一般的なＥＡ変調器は、入力される駆動電圧に対して非線形な光出力となる消光特性を有している。
【０００８】
図１７Ａ、１７Ｂは、線形な駆動電圧Ｖｏｕｔ５によってＥＡ変調器を駆動した場合の光アイ波形の一例を示す図である。
図１７Ａに示すように、ＥＡ変調器の消光特性の線形領域５００において、線形な駆動電圧、すなわち電圧差が等間隔の４値の駆動電圧Ｖｏｕｔ５によってＥＡ変調器を駆動した場合、光の強度が等間隔な光アイ波形となる光信号ＯＰｏｕｔ５を生成することができる。
【０００９】
一方、図１７Ｂに示すように、ＥＡ変調器の消光特性の非線形領域５０１において、電圧差が等間隔の４値の駆動電圧Ｖｏｕｔ５によってＥＡ変調器を駆動した場合、光の強度が不等間隔で歪が生じた光アイ波形の光信号ＯＰｏｕｔ５が生成されるため、光信号ＯＰｏｕｔ５を光伝送信号として用いることができない。
【００１０】
以上の理由から、従来のＥＡ変調器を用いたＰＡＭ４用光送信器では、ＥＡ変調器の消光特性の非線形領域５０１ではなく、線形領域５００を利用して、光伝送信号を生成していた。そのため、図１８に示すように、消光比のダイナミックレンジを大きくすることができず、光送信器のＯＭＡ（Ｏｐｔｉｃａｌ  Ｍｏｄｕｌａｔｉｏｎ  Ａｍｐｌｉｔｕｄｅ）を大きくすることができないという問題があった。
【００１１】
この問題を解決するための一つの方法として、例えば非特許文献１に、信号発生器を用いてＥＡ変調器の非線形な消光特性に適応したＰＡＭ４用の駆動電圧を生成してＥＡ変調器を駆動することにより、光の強度が等間隔な光アイ波形の光信号を生成する技術が開示されている。
【先行技術文献】
【非特許文献】
【００１２】
【非特許文献１】W. Kobayashi et al., “Advantages of EADFB laser for 25 Gbaud/s 4-PAM (50 Gbit/s) modulation and 10 km single-mode fibre transmission”, Electronics Letters, vol. 50, no. 9, pp. 683-685, Apr. 24, 2014.
【発明の概要】
【発明が解決しようとする課題】
【００１３】
しかしながら、非特許文献１には、ＥＡ変調器の非線形な消光特性に適応したＰＡＭ４用の駆動電圧を生成する信号生成器を用いることは記載されているが、その信号生成器の具体的な回路構成については開示されていない。
【００１４】
今後、ＥＡ変調器を用いたパルス振幅変調方式の４００ＧｂＥの伝送システムが普及した場合に、よりＯＭＡが高く、且つコストを抑えた光送信器が望まれることから、コストを抑えつつ、ＥＡ変調器の非線形な消光特性に適応したＰＡＭ４用の駆動電圧を生成するための技術が必要であると、本願発明者らは考えた。
【００１５】
本発明は、上記の問題に鑑みてなされたものであり、本発明の目的は、コストを抑えつつ、より大きなＯＭＡを有する光送信器を提供することにある。
【課題を解決するための手段】
【００１６】
本発明に係る、電界吸収型の光変調器を駆動する駆動回路は、２ビットのディジタル信号を入力する第１入力端子（ＩＮ０）および第２入力端子（ＩＮ１）と、第１入力端子に入力された第１ディジタル信号（Ｄ０）と第２入力端子に入力された第２ディジタル信号（Ｄ１）の論理レベルに応じて第１電流（０，Ｉ０，Ｉ１，Ｉ０＋Ｉ１）を線形に変化させ、電流を電圧に変換する電流電圧変換素子（Ｒ）に第１電流を供給することにより前記光変調器を駆動するための駆動電圧を生成するディジタル／アナログ変換部（１１）と、第１ディジタル信号（Ｄ０）と第２ディジタル信号（Ｄ１）の論理レベルが相違する場合に、第２電流（Ｉ２）を、ディジタル／アナログ変換部の電流電圧変換素子に供給する非線形補償部（１２）と、を有することを特徴とする。
【００１７】
上記駆動回路において、ディジタル／アナログ変換部は、前記電流電圧変換素子を有し、入力した電流に応じた電圧を生成する第１電圧生成部（１１２）と、電流（Ｉ０）を生成する第１電流回路（１１４）と、第１電流回路よりも大きい電流（Ｉ１）を生成する第２電流回路（１１５）とを有し、第１ディジタル信号が第１論理レベル（“１”）である場合に、第１電流回路の電流を第１電圧生成部に供給し、第１ディジタル信号が第２論理レベル（“０”）である場合に第１電流回路の電流の第１電圧生成部への供給を停止する第１制御回路（１１０）と、第２入力端子に入力された第２ディジタル信号が第１論理レベルである場合に、第２電流回路の電流を第１電圧生成部に供給し、第２ディジタル信号が第２論理レベルである場合に第２電流回路の電流の第１電圧生成部への供給を停止する第２制御回路（１１１）と、非線形補償部は、電流（Ｉ２）を生成する第３電流回路（１２１）と、第１ディジタル信号が第１論理レベル、且つ第２ディジタル信号が第２論理レベルである場合に、第３電流回路の電流を第１電圧生成部に供給し、それ以外の論理レベルの組合せの場合に、第３電流回路の電流の第１電圧生成部への供給を停止する第３制御回路と、を有してもよい。
【００１８】
上記駆動回路において、第３電流回路は、電流が変更可能な可変電流源を含んでもよい。
【００１９】
上記駆動回路において、ディジタル／アナログ変換部は、電流電圧変換素子を有し、入力した電流に応じた電圧を生成する第２電圧生成部（１１３）を更に有し、非線形補償部は、電流（Ｉ３）を生成する第４電流回路（１２２）と、第１ディジタル信号が第２論理レベル（“０”）、且つ第２ディジタル信号が第１論理レベル（“１”）である組合せの場合に、第４電流回路の電流を第２電圧生成部に供給し、それ以外の組合せの場合に、第４電流回路の電流の第２電圧生成部への供給を停止する第４制御回路（１２０＿２）と、を更に有し、第１制御回路は、第１ディジタル信号が第１論理レベルである場合に、第１電流回路の電流を第１電圧生成部に供給し、第１ディジタル信号が第２論理レベルである場合に、第１電流回路の電流を第２電圧生成部に供給し、第２制御回路は、第２ディジタル信号が第１論理レベルである場合に、第１電流回路の電流を第１電圧生成部に供給し、第２ディジタル信号が第２論理レベルである場合に、第２電流回路の電流を第２電圧生成部に供給してもよい。
【００２０】
上記駆動回路において、第３制御回路は、一端が第１固定電位（ＶＣＣ）に接続された第１抵抗（Ｒａ）および第２抵抗（Ｒｂ）と、一端が第１抵抗の他端に接続された第１スイッチ（ＳＷ１）と、一端が第２抵抗の他端に接続された第２スイッチ（ＳＷ２）と、一端が第１スイッチの他端および第２スイッチの他端に接続された第３スイッチ（ＳＷ３）と、一端が第１抵抗と第１スイッチとが接続される出力ノード（ＯＵＴ）に接続される第４スイッチ（ＳＷ４）と、一端が第３スイッチの他端および第４スイッチの他端に接続され、他端が第１固定電位と異なる第２固定電位（ＶＥＥ）に接続される電流源（Ｉ）と、を含み、第１スイッチおよび第２スイッチは、第１ディジタル信号の論理レベルに応じて何れか一方がオンし、第３スイッチおよび第４スイッチは、第２ディジタル信号の論理レベルに応じて何れか一方がオンし、第３電流回路（１２１）は、出力ノードの電圧（ＣＮ２）に応じて第１電圧生成部（１１２）への電流（Ｉ２）の供給と遮断が制御されてもよい。
【００２１】
上記駆動回路において、第１電圧生成部は、Ｒ−２Ｒ型の抵抗ラダー回路を含んでもよい。
【００２２】
本発明に係る光送信器は、発光素子（ＬＤ）を含み、一定強度の光を出力する発光部（３）と、入力された送信すべき信号（ＤＡＴＡ）に対して、４値のパルス振幅変調方式に応じたディジタル信号処理を行うことにより、２ビットのディジタル信号を生成するディジタル信号処理装置（２）と、ディジタル信号処理装置によって生成された２ビットのディジタル信号を入力する上記駆動回路（１，１Ａ，１Ｂ，１Ｃ）と、駆動回路の第１電圧生成部によって生成された電圧（Ｖｏｕｔ）に応じて発光部から出力された光の強弱を変化させて出力する光変調器（４）と、を備えることを特徴とする。
【発明の効果】
【００２３】
本発明によれば、コストを抑えつつ、よりＯＭＡが高い光送信器を実現することが可能となる。
【図面の簡単な説明】
【００２４】
【図１】本発明の実施の形態１に係る駆動回路を備えた光送信器の構成を示す図である。
【図２】実施の形態１に係る駆動回路１の構成を示す図である。
【図３】実施の形態１に係る駆動回路１の回路構成を示す図である。
【図４】非線形補償制御回路の回路構成例を示す図である。
【図５】非線形補償制御回路の真理値表を示す図である。
【図６】実施の形態１に係る駆動装置の入力（Ｄ０，Ｄ１）と駆動電圧Ｖｏｕｔの関係を示す図である。
【図７Ａ】実施の形態１に係る駆動回路によって生成される駆動電圧のアイ波形を模式的に示す図である。
【図７Ｂ】図７Ｂは、従来の２ビットＤＡＣによって生成される駆動電圧のアイ波形を模式的に示す図である。
【図８】図８は、実施の形態１に係る駆動回路を備えた光送信器の光伝送特性の一例を示す図である。
【図９】実施の形態２に係る駆動回路の回路構成を示す図である。
【図１０】実施の形態２に係る駆動装置の入力（Ｄ０，Ｄ１）とモニタ用の電圧Ｖｏｕｔｘの関係を示す図である。
【図１１】実施の形態２に係る駆動回路の別の回路構成を示す図である。
【図１２】実施の形態３に係る駆動回路の回路構成を示す図である。
【図１３】従来のＥＡ変調器を用いたＰＡＭ４用光送信器のフロントエンドの構成を示す図である。
【図１４】従来の一般的な２ビットＤＡＣの回路構成を示す図である。
【図１５】図１４に示す２ビットＤＡＣの入出力特性を示す図である。
【図１６】ＥＡ変調器の消光特性の一例を示す図である。
【図１７Ａ】ＥＡ変調器の線形領域において、従来の２ビットＤＡＣによって生成した駆動電圧によってＥＡ変調器を駆動した場合の光アイ波形の一例を示す図である。
【図１７Ｂ】ＥＡ変調器の非線形領域において、従来の２ビットＤＡＣによって生成した駆動電圧によってＥＡ変調器を駆動した場合の光アイ波形の一例を示す図である。
【図１８】従来のＰＡＭ４用の駆動回路によってＥＡ変調器を駆動した場合の光送信器のＯＭＡを示す図である。
【発明を実施するための形態】
【００２５】
以下、本発明の実施の形態について図を参照して説明する。
【００２６】
≪実施の形態１≫
〈光送信器の構成〉
図１に、本発明の実施の形態１に係る駆動回路を備えた光送信器の構成を示す。
同図に示される光送信器１００は、外部から入力された電気信号を光信号に変換して、光ファイバ等から成る光ネットワークに出力する装置である。光送信器１００は、例えば、ディジタル信号処理装置２、駆動回路１、発光部３、および光変調器４から構成されている。
【００２７】
ディジタル信号処理装置２は、送信対象の電気信号（データ）ＤＡＴＡを入力し、入力信号ＤＡＴＡに対して所定の信号処理を行う。ディジタル信号処理装置２は、例えば、ＤＳＰ等のプログラム処理装置である。
【００２８】
具体的に、ディジタル信号処理装置２は、入力信号ＤＡＴＡに基づいて、ＰＡＭ用のディジタル信号を生成するための信号処理を行い、信号処理結果を例えばｎ（ｎは２以上の整数）ビットのディジタル信号として出力する。本実施の形態では、一例として、ディジタル信号処理装置２が入力信号ＤＡＴＡに基づいてＰＡＭ４用の信号処理を実行し、２ビット（ｎ＝２）のディジタル信号Ｄ０，Ｄ１を生成するものとして説明する。
【００２９】
発光部３は、半導体レーザ（ＬＤ：Ｌａｓｅｒ  Ｄｉｏｄｅ）等の発光素子を含み、一定強度の光を出力する。
【００３０】
光変調器４は、発光部３から出力された一定強度の光に対して外部から制御を加えることにより、光の強度を変化させた光信号（光の強弱信号）ＯＰｏｕｔを出力する外部変調方式の光変調器である。光変調器４は、非線形な消光特性を有する光変調器である。本実施の形態では、光変調器４がＥＡ変調器であるとし、「光変調器４」を「ＥＡ変調器４」と表記する。
【００３１】
具体的に、ＥＡ変調器４は、後述する駆動回路１によって生成された駆動電圧Ｖｏｕｔを入力し、駆動電圧Ｖｏｕｔの電圧レベルに応じて発光部３から出力された光の強度を変化させて光信号ＯＰｏｕｔを生成する。
【００３２】
駆動回路１は、ディジタル信号処理装置２から出力されたディジタル信号Ｄ０，Ｄ１に基づいて駆動電圧Ｖｏｕｔを生成し、ＥＡ変調器４を駆動するＰＡＭ４用のドライバである。駆動回路１は、例えば、公知の半導体製造プロセスによって半導体基板に形成された半導体集積回路によって実現されている。上記半導体製造プロセスとしては、例えば、ＣＭＯＳプロセスや、シリコン−ゲルマニウム半導体（Ｓｉ−Ｇｅ）ヘテロ接合バイポーラトランジスタ（ＨＢＴ：Ｈｅｔｅｒｏｊｕｎｃｔｉｏｎ  Ｂｉｐｏｌａｒ  Ｔｒａｎｓｉｓｔｏｒ）プロセス等を例示することができる。
【００３３】
〈駆動回路１の構成〉
図２は、実施の形態１に係る駆動回路１の構成を示す図である。
図２に示すように、駆動回路１は、入力端子ＩＮ０および入力端子ＩＮ１と、ディジタル／アナログ変換部（ＤＡＣ）１１と、非線形補償部１２とを有する。
【００３４】
入力端子ＩＮ０，ＩＮ１は、ディジタル信号処理装置２から出力されたディジタル信号Ｄ０，Ｄ１を夫々入力する。なお、本実施の形態では、ディジタル信号Ｄ０，Ｄ１の論理レベルとして、第１論理レベルをハイレベル（“１”）、第２論理レベルをローレベル（“０”）として説明するが、逆であってもよい。
【００３５】
ディジタル／アナログ変換部１１は、入力端子ＩＮ０および入力端子ＩＮ１に入力されたディジタル信号Ｄ０，Ｄ１の論理レベルに応じて第１電流を線形に変化させ、電流を電圧に変換する電流電圧変換素子に上記第１信号を供給することにより駆動電圧Ｖｏｕｔを生成する機能部である。
【００３６】
非線形補償部１２は、ディジタル／アナログ変換部１１によって生成される駆動電圧Ｖｏｕｔを、ＥＡ変調器４の非線形な消光特性に適応するように補償するための機能部である。具体的に、非線形補償部１２は、ディジタル信号Ｄ０とディジタル信号Ｄ１の論理レベルが相違する場合に、駆動電圧Ｖｏｕｔを補償するための第２電流を生成し、上記第１電流とともにディジタル／アナログ変換部１１の上記電流電圧変換素子に供給する。
以下、ディジタル／アナログ変換部１１および非線形補償部１２について、図３を用いて詳細に説明する。
【００３７】
（１）ディジタル／アナログ変換部１１
図３に示されるように、ディジタル／アナログ変換部１１は、電圧生成部１１２と、電流回路１１４，１１５と、制御回路１１０，１１１とを含む。
【００３８】
電圧生成部１１２は、入力した電流に応じた電圧を生成する機能部である。電圧生成部１２は、例えば電流電圧変換素子としての抵抗Ｒを含む。抵抗Ｒの一端は、電源電圧ＶＣＣが供給される電源ラインに接続され、抵抗Ｒの他端は、出力端子ＯＵＴに接続されている。
【００３９】
電流回路１１４は、スイッチＳＷ０ｔと電流源Ｉ０を含む。また、電流回路１１５は、スイッチＳＷ１ｔと電流源Ｉ１を含む。
【００４０】
スイッチＳＷ０ｔ，ＳＷ１ｔは、ハイレベル（“１”）の制御信号が入力された場合にオンし、ローレベル（“０”）の制御信号が入力されたときにオフするものとする。なお、後述するスイッチＳＷ０ｔ，ＳＷ１ｔ以外のその他のスイッチも同様とする。また、駆動回路１におけるスイッチＳＷ０ｔ等の各スイッチは、トランジスタ単体、またはトランジスタを組みわせたアナログスイッチ等のトランジスタ回路によって実現することができる。
【００４１】
電流源Ｉ０，Ｉ１は、例えば、電流が変更可能な可変電流源であってもよい。なお、参照符号Ｉ０，Ｉ１および後述する参照符号Ｉ，Ｉ２，Ｉ３は、電流源のみならず、その電流源によって生成される電流をも表すものとする。
【００４２】
ここで、電流源Ｉ０と電流源Ｉ１の夫々の電流の関係は、Ｉ０＜Ｉ１である。本実施の形態では、例えば、Ｉ１＝２×Ｉ０とする。
【００４３】
スイッチＳＷ０ｔは、一端が出力端子ＯＵＴに接続されている。電流源Ｉ０の一端は、スイッチＳＷ０ｔの他端に接続され、電流源Ｉ０の他端は電源電圧ＶＥＥが供給される電源ラインに接続されている。ここで、ＶＥＥ＜ＶＣＣである。なお、参照符号ＶＣＣ，ＶＥＥは、電源電圧のみならず、その電源電圧が供給される電源ラインをも表すものとする。
【００４４】
スイッチＳＷ１ｔは、一端が出力端子ＯＵＴに接続されている。電流源Ｉ１の一端は、スイッチＳＷ１ｔの他端に接続され、電流源Ｉ１の他端は電源ラインＶＥＥに接続されている。
【００４５】
制御回路１０，１１は、入力端子ＩＮ０，ＩＮ１に入力されたディジタル信号Ｄ０，Ｄ１に基づいて、電流Ｉ０，Ｉ１を電圧生成部１２に供給するか否かを電流回路１１４、１１５毎に制御する機能部である。
【００４６】
制御回路１１０，１１１は、例えばＤ型フリップフロップ回路（ＤＦＦ）から構成され、入力されたディジタル信号Ｄ０、Ｄ１をクロック信号ＣＬＫに同期して取り込み、取り込んだ信号と同一の論理レベルの信号ＣＮ０，ＣＮ１と、取り込んだ信号の論理レベルを反転させた信号ＣＮ０ｘ、ＣＮ１ｘとを夫々生成する。信号ＣＮ０は、スイッチＳＷ０ｔの制御信号として電流回路１１４に供給され、信号ＣＮ１は、スイッチＳＷ１ｔの制御信号として電流回路１１５に供給される。また、信号ＣＮ０ｘ，ＣＮ１ｘは、信号ＣＮ０，ＣＮ１とともに、後述する非線形補償回路１２０に入力される。
【００４７】
具体的に、制御回路１１０は、ディジタル信号Ｄ０＝１である場合に、スイッチＳＷ０ｔをオンさせて、電流回路１１４の電流Ｉ０を電圧生成部１１２（抵抗Ｒ）に供給し、ディジタル信号Ｄ０＝０である場合に、スイッチＳＷ０ｔをオフして、電流回路１１４の電流Ｉ０の電圧生成部１１２（抵抗Ｒ）への供給を停止する。
【００４８】
また、制御回路１１１は、ディジタル信号Ｄ１＝１である場合に、スイッチＳＷ１ｔをオンさせて、電流回路１１５の電流Ｉ１を電圧生成部１１２（抵抗Ｒ）に供給し、ディジタル信号Ｄ１＝０である場合に、スイッチＳＷ１ｔをオフして、電流回路１１５の電流Ｉ０の電圧生成部１１２（抵抗Ｒ）への供給を停止する。
【００４９】
（２）非線形補償部１２
非線形補償部１２は、電流回路１２１と非線形補償制御回路１２０とを含む。
電流回路１２１は、スイッチＳＷ２ｔと電流源Ｉ２とを含む。スイッチＳＷ２ｔは、一端が出力端子ＯＵＴに接続されている。スイッチＳＷ２ｔは、後述する非線形補償制御回路１２０の出力端子ＱＴから出力される信号ＣＮ２によってオン・オフが切り替えられる。
【００５０】
電流源Ｉ２は、一端がスイッチＳＷ２ｔの他端に接続され、他端が電源ラインＶＥＥに接続されている。電流源Ｉ２は、例えば、可変電流源であってもよい。
【００５１】
非線形補償制御回路１２０は、入力端子ＩＮ０，ＩＮ１に入力されたディジタル信号Ｄ０，Ｄ１に基づいて、電流回路１２１の電流Ｉ２を電圧生成部１１２（抵抗Ｒ）に供給するか否かを制御する機能部である。
【００５２】
図４に、非線形補償制御回路１２０の回路構成例を示す。
図４に示されるように、非線形補償制御回路１２０は、入力端子ＭＴ、ＭＣ、ＬＴ、ＬＣ、出力端子ＱＴ、ＱＣ、抵抗Ｒａ，Ｒｂ、スイッチＳＷａ〜ＳＷｄ、および電流源Ｉを含む。
【００５３】
抵抗Ｒａ、Ｒｂは、夫々の一端が電源ラインＶＣＣに接続されている。ここで、抵抗Ｒａと抵抗Ｒｂは互いの抵抗値が等しい。
【００５４】
スイッチＳＷａは、一端が抵抗Ｒａの他端に接続され、他端が出力端子ＱＴに接続され、入力端子ＭＴに入力された制御信号によってオン・オフが切り替えられる。スイッチＳＷｂは、一端が抵抗Ｒｂの他端に接続され、他端が出力端子ＱＣに接続され、入力端子ＭＣに入力された制御信号によってオン・オフが切り替えられる。スイッチＳＷｃは、一端がスイッチＳＷａの他端およびスイッチＳＷｂの他端に接続され、入力端子ＬＴに入力された制御信号によってオン・オフが切り替えられる。スイッチＳＷｄは、一端が出力端子ＱＴに接続され、他端がスイッチＳＷｃの他端に接続され、入力端子ＬＣに入力された制御信号によってオン・オフが切り替えられる。
【００５５】
また、電流源Ｉは、一端がスイッチＳＷｃ，ＳＷｄの他端に接続され、他端が電源ラインＶＥＥに接続されている。電流源Ｉは、例えば、可変電流源であってもよい。
【００５６】
図４に示す非線形補償制御回路１２０によれば、図５の真理値表に示すように、非線形補償制御回路１２０の入力端子ＭＴ，ＭＣ，ＬＴ，ＬＣの組合せが（ＭＴ，ＬＴ，ＭＣ，ＬＣ）＝（０，１，１，０）である場合に、出力端子ＱＴから出力される信号ＣＮ２が“１”となり、それ以外の組合せ（ＭＴ，ＬＴ，ＭＣ，ＬＣ）＝（０，０，１，１）、（１，０，０，１）、（１，１，０，０）の場合に、出力端子ＱＴから出力される信号ＣＮ２が“０”となる。なお、出力端子ＱＣから出力される信号ＣＮ２ｘは、信号ＣＮ２の反転論理の信号となる。
【００５７】
したがって、非線形補償制御回路１２０の入力端子ＭＴ，ＭＣ，ＬＴ，ＬＣに、信号ＣＮ１（Ｄ１），信号ＣＮ１ｘ（Ｄ１の反転論理），信号ＣＮ０（Ｄ０），信号ＣＮ０ｘ（Ｄ０の反転論理）を夫々入力することにより、非線形補償制御回路１２０は、ディジタル信号Ｄ０，Ｄ１の論理の組合せが（Ｄ１，Ｄ０）＝（０，１）である場合に、スイッチＳＷ２ｔをオンして電流Ｉ２を電圧生成部１１２（抵抗Ｒ）に供給し、それ以外の組合せ（Ｄ１，Ｄ０）＝（０，０），（１，０），（１，１）の場合に、スイッチＳＷ２ｔをオフして電流Ｉ２の電圧生成部１１２（抵抗Ｒ）への供給を停止する。
【００５８】
（３）駆動回路１の動作
図６に、実施の形態１に係る駆動回路１の入力（Ｄ１，Ｄ０）と出力（駆動電圧Ｖｏｕｔ）の関係を示す。
図６に示すように、駆動回路１は、ディジタル信号処理装置２から駆動回路１に入力するＰＡＭ４用のディジタル信号Ｄ０，Ｄ１の４通りの論理の組合せ（Ｄ１，Ｄ０）＝（０，０）、（０，１）、（１，０）、（１，１）に応じて、“ＶＣＣ”、“ＶＣＣ−Ｒ（Ｉ０＋Ｉ２）”、“ＶＣＣ−Ｒ・Ｉ１”、“ＶＣＣ−Ｒ（Ｉ０＋Ｉ１）”の４値の駆動電圧Ｖｏｕｔを生成する。この駆動電圧ＶｏｕｔがＥＡ変調器４に入力されることにより、ＥＡ変調器４から４値の光の強度を有する光信号ＯＰｏｕｔが生成される。
【００５９】
〈実施の形態１に係る駆動回路１の効果〉
実施の形態１に係る駆動回路１によれば、非線形補償部１２の電流Ｉ２を調整することにより、ＰＡＭ４用のディジタル信号Ｄ０，Ｄ１の４通りの論理の組合せに対して、不等間隔の駆動電圧Ｖｏｕｔを生成することが可能となる。以下、図を用いて具体的に説明する。
【００６０】
図７Ａは、実施の形態１に係る駆動回路１によって生成される駆動電圧Ｖｏｕｔのアイ波形を模式的に示す図である。図７Ｂは、上述した従来の２ビットＤＡＣ（図１４参照）によって生成される駆動電圧Ｖｏｕｔ５のアイ波形を模式的に示す図である。図８は、実施の形態１に係る駆動回路１を備えた光送信器１００の光伝送特性の一例を示す図である。なお、図７Ａ，図７Ｂ、および図８においては、Ｉ１＝２×Ｉ０としている。
【００６１】
上述したように、従来の２ビットＤＡＣによって、２ビットのディジタル信号から駆動電圧Ｖｏｕｔ５を生成した場合、図７Ｂに示すように、２ビットのディジタル信号の論理の組合せを変えると、駆動電圧Ｖｏｕｔ５が線形（等間隔）に変化する。すなわち、Ｖ０＝Ｖ１＝Ｖ２となる。
【００６２】
これに対し、実施の形態１に係る駆動回路１によって、２ビットのディジタル信号から駆動電圧Ｖｏｕｔを生成した場合、図７Ａに示すように、２ビットのディジタル信号の論理の組合せを変えると、非線形補償部１２の電流Ｉ２に応じて駆動電圧Ｖｏｕｔを非線形（不等間隔）に変化させることができる。すなわち、Ｖ０≠Ｖ１≠Ｖ２とすることができる。
【００６３】
この不等間隔の４値の駆動電圧ＶｏｕｔによってＥＡ変調器４を駆動することにより、図８に示すように、ＥＡ変調器４における消光特性の非線形領域５０１においても、光の強度が等間隔な光アイ波形の光信号ＯＰｏｕｔを生成することが可能となり、従来よりも光送信器１００のＯＭＡを大きくすることが可能となる。
【００６４】
また、実施の形態１に係る駆動回路１によれば、ディジタル信号Ｄ０，Ｄ１の論理の組合せのうち、ディジタル信号Ｄ０，Ｄ１が互いに異なる論理レベルとなる（Ｄ１，Ｄ０）＝（０，１）において、非線形補償部１２の補償用の電流Ｉ２を電圧生成部１１２の抵抗Ｒに流し込むので、駆動電圧Ｖｏｕｔが変化する範囲Ｖｗを固定した状態で、範囲Ｖｗ内での駆動電圧Ｖｏｕｔの変化幅を調整することができる。すなわち、駆動回路１によれば、所望のＯＭＡが得られるようにディジタル／アナログ変換部１１の電流Ｉ０，Ｉ１を定めて範囲Ｖｗを固定した上で、ＥＡ変調器４毎の消光特性に適したＰＡＭ４用の駆動電圧を生成することができるので、ＯＭＡを変えずにＥＡ変調器毎の特性に応じた調整が容易となる。
【００６５】
また、実施の形態１に係る駆動回路１によれば、従来の２ビットのＤＡＣに対応するディジタル／アナログ変換部１１に非線形補償部１２を追加することによって、ＥＡ変調器４の非線形な消光特性に適した駆動電圧Ｖｏｕｔを生成することができるので、従来の光送信器のＰＡＭ４用ドライバに対して大幅な回路変更をする必要がなく、コストの増加を抑えることができる。特に、図３および図４に示す回路構成によって非線形補償部１２を実現することにより、回路規模の増大を抑えることができるので、コストのみならず、回路の追加に伴う消費電力の増大も抑えることが可能となる。
【００６６】
以上のように、実施の形態１に係る駆動回路１によれば、コストの増大を抑えつつ、ＥＡ変調器の非線形な消光特性に適応したＰＡＭ４用の駆動電圧を生成することができるので、よりＯＭＡが高く、且つコストを抑えた光送信器を実現することが可能となる。
【００６７】
更に、実施の形態１に係る駆動回路１において、非線形補償部１２の電流源Ｉ２を可変電流源とすることにより、光送信器１００の設計の自由度を高めることができる。例えば、Ｉ２≠０とＩ２＝０とを切り替えることにより、駆動電圧Ｖｏｕｔの非線形補償の有無を切り替えることが可能となる。具体的には、ＥＡ変調器４を線形領域５００で駆動する場合には、“Ｉ２＝０”に設定することにより、図７Ｂに示すような等間隔に変化する駆動電圧Ｖｏｕｔを生成することができ、ＥＡ変調器４を非線形領域５０１で駆動する場合には、上述したように“Ｉ２≠０”に設定することにより、図７Ａに示すような不等間隔に変化する駆動電圧Ｖｏｕｔを生成することができるので、例えば光送信器の仕様変更等に柔軟に対応することが可能となる。
【００６８】
≪実施の形態２≫
図９は、実施の形態２に係る駆動回路の回路構成を示す図である。
図９に示される駆動回路１Ａは、実施の形態１に係る光送信器１００における駆動回路１の別の回路構成例を表している。
【００６９】
実施の形態２に係る駆動回路１Ａは、ＥＡ変調器４を駆動するための駆動電圧Ｖｏｕｔを生成する回路に加えて、駆動電圧Ｖｏｕｔのモニタ用の電圧Ｖｏｕｔｘを生成するための回路を有する点において、実施の形態１に係る駆動回路１と相違する。
【００７０】
具体的に、駆動回路１Ａは、２組の出力端子ＯＵＴ，ＯＵＴＸを有し、ディジタル／アナログ変換部１１Ａとして、２組の電圧生成部１１２、１１３と、電流回路１１４Ａ、１１５Ａとを有する。また、駆動回路１Ｂは、非線形補償部１１Ｂとして、２組の電流回路１２１、１２２および非線形補償回路１２０＿１、１２０＿２を有する。
【００７１】
なお、実施の形態２に係る駆動回路１Ａの構成要素のうち、実施の形態１に係る駆動回路１と同様の構成要素については、同一の参照符号を付し、その詳細な説明を省略する。
【００７２】
電圧生成部１１３は、例えば電圧生成部１１２と同様に、電源ラインＶＣＣと出力端子ＯＵＴｘとの間に接続された電流電圧変換素子としての抵抗Ｒから構成されている。
【００７３】
ディジタル／アナログ変換部１１Ａにおける電流回路１１４Ａ，１１５Ａは、実施の形態１に係る電流回路１１４，１１５の構成要素に加えて、制御回路１１０からの信号ＣＮ０ｘによってオン・オフが切り替えられるスイッチＳＷ０ｃと、制御回路１１１からの信号ＣＮ１ｘによってオン・オフが切り替えられるスイッチＳＷ１ｃとを更に有する。スイッチＳＷ０ｃは、一端が出力端子ＯＵＴｘに接続され、他端が電流源Ｉ０の一端に接続されている。また、スイッチＳＷ１ｃは、一端が出力端子ＯＵＴｘに接続され、他端が電流源Ｉ１の一端に接続されている。
【００７４】
制御回路１１０は、入力端子ＩＮ０に入力されたディジタル信号Ｄ０が“１”である場合に、電流Ｉ０を出力端子ＯＵＴ側に接続された抵抗Ｒ（電圧生成部１１２）に流し、ディジタル信号Ｄ０が“０”である場合に、電流Ｉ０を出力端子ＯＵＴｘ側に接続された抵抗Ｒ（電圧生成部１１３）に流す。同様に、制御回路１１１は、入力端子ＩＮ１に入力されたディジタル信号Ｄ１が“１”である場合に、電流Ｉ１を出力端子ＯＵＴ側に接続された抵抗Ｒ（電圧生成部１１２）に流し、ディジタル信号Ｄ１が“０”である場合に、電流Ｉ１を出力端子ＯＵＴｘ側に接続された抵抗Ｒ（電圧生成部１１３）に流す。
【００７５】
非線形補償部１２Ａにおける電流回路１２１は、実施の形態１に係る電流回路１２１の構成要素に加えて、非線形補償制御回路１２０＿１の出力端子ＱＣから出力される信号ＣＮ２ｘによってオン・オフが切り替えられるスイッチＳＷ２ｃを更に有する。スイッチＳＷ２ｃは、一端が電源ラインＶＣＣに接続され、他端が電流源Ｉ２の一端に接続されている。
【００７６】
非線形補償部１１Ｂにおける電流回路１２２は、電流回路１２１と同様の回路構成を有する。具体的には、一端が出力端子ＯＵＴｘに接続されるスイッチＳＷ３ｔと、一端が電源ラインＶＣＣに接続されるスイッチＳＷ３ｃと、一端がスイッチＳＷ３ｔおよびスイッチＳＷ３ｃの夫々の他端に接続され、他端が電源ラインＶＥＥに接続される電流源Ｉ３とを有する。
【００７７】
スイッチＳＷ３ｔは、非線形補償制御部１２０＿２の出力端子ＱＴから出力される信号ＣＮ３によってオン・オフが切り替えられ、スイッチＳＷ３ｃは、非線形補償制御部１２０＿２の出力端子ＱＣから出力される信号ＣＮ３ｘによってオン・オフが切り替えられる。電流源Ｉ３は、電流源Ｉ２と同様に、可変電流源であってもよい。
【００７８】
非線形補償制御回路１２０＿１，１２０＿２は、実施の形態１に係る駆動回路１の非線形補償制御回路１２０と同様の回路構成を有している（図４参照）。
非線形補償制御回路１２０＿１は、実施の形態１における非線形補償制御回路１２０と同様に、入力端子ＭＴ，ＭＣ，ＬＴ，ＬＣに、信号ＣＮ１（Ｄ１），信号ＣＮ１ｘ（Ｄ１の反転論理）、信号ＣＮ０（Ｄ０），および信号ＣＮ０ｘ（Ｄ０の反転論理）が夫々入力される。
【００７９】
一方、非線形補償制御回路１２０＿２は、非線形補償制御回路１２０とは異なり、入力端子ＭＴ，ＭＣ，ＬＴ，ＬＣに、信号ＣＮ１ｘ（Ｄ１の反転論理），信号ＣＮ１（Ｄ１）、信号ＣＮ０ｘ（Ｄ０の反転論理），および信号ＣＮ０（Ｄ０）が夫々入力される。
【００８０】
駆動回路１Ａは、実施の形態１に係る駆動回路１と同様に、ディジタル信号処理装置２から駆動回路１Ａに入力するＰＡＭ４用のディジタル信号Ｄ０，Ｄ１の４通りの論理の組合せ（Ｄ０，Ｄ１）＝（０，０）、（０，１）、（１，０）、（１，１）に応じて、“ＶＣＣ”、“ＶＣＣ−Ｒ（Ｉ０＋Ｉ２）”、“ＶＣＣ−Ｒ・Ｉ１”、“ＶＣＣ−Ｒ（Ｉ０＋Ｉ１）”の４値の駆動電圧Ｖｏｕｔを生成する（図６参照）。
【００８１】
また、駆動回路１Ａは、図１０に示すように、ディジタル信号処理装置２から駆動回路１Ａに入力するＰＡＭ４用のディジタル信号Ｄ０，Ｄ１の４通りの論理の組合せ（Ｄ０，Ｄ１）＝（０，０）、（０，１）、（１，０）、（１，１）に応じて、“ＶＣＣ−Ｒ（Ｉ０＋Ｉ１）”、“ＶＣＣ−ＲＩ１”、“ＶＣＣ−Ｒ（Ｉ１＋Ｉ３）”、“ＶＣＣ”の４値のモニタ用電圧Ｖｏｕｔｘを生成する。
【００８２】
光送信器１００に駆動回路１Ａを適用することにより、実施の形態１に係る駆動回路１を適用した場合と同様に、光の強度が均等に変化する４値の光信号ＯＰｏｕｔを生成することができる。また、駆動回路１Ａから出力される電圧Ｖｏｕｔｘをモニタすることにより、駆動電圧Ｖｏｕｔを間接的にモニタすることができる。例えば、電圧Ｖｏｕｔｘが駆動電圧Ｖｏｕｔと同じ電圧値になるように、電流Ｉ３をディジタル信号Ｄ０，Ｄ１の論理の組合せに応じて変化させることにより、電圧Ｖｏｕｔｘをモニタすることで駆動電圧Ｖｏｕｔの値を間接的に知ることが可能となる。
【００８３】
以上、実施の形態２に係る駆動回路１Ａによれば、実施の形態１に係る駆動回路１と同様に、コストの増大を抑えつつ、ＥＡ変調器の非線形な消光特性に適応したＰＡＭ４用の駆動電圧を生成することができる。
【００８４】
また、実施の形態２に係る駆動回路１Ａによれば、駆動電圧Ｖｏｕｔに対応するモニタ用の電圧Ｖｏｕｔｘを生成するので、駆動電圧Ｖｏｕｔを監視するために駆動回路１Ａの出力端子ＯＵＴのインピーダンスを調整する必要がなく、駆動電圧Ｖｏｕｔの状態を容易に知ることが可能となる。
【００８５】
なお、モニタ用の電圧Ｖｏｕｔｘを駆動電圧Ｖｏｕｔと同じ電圧（波形）にする必要がない場合には、図１１に示す駆動回路１Ｂのように、電流回路１２２および非線形補償制御回路１２０＿２を取り除いてもよい。これによれば、駆動電圧Ｖｏｕｔをモニタするために追加する回路素子の数を減らすことができ、低消費電力になる。
【００８６】
≪実施の形態３≫
図１２は、実施の形態３に係る駆動回路の回路構成を示す図である。
図１３に示される駆動回路１Ｃは、実施の形態１に係る光送信器１００における駆動回路１の別の回路構成例を表している。
【００８７】
実施の形態３に係る駆動回路１Ｃは、駆動電圧Ｖｏｕｔおよびモニタ用電圧Ｖｏｕｔｘを生成する電圧生成部の回路構成が異なる点において、実施の形態２に係る駆動回路１Ｂと相違する。
【００８８】
具体的には、駆動回路１Ｃは、ディジタル／アナログ変換部１１Ｃにおいて、電圧生成部１１２，１１３の代わりに、Ｒ−２Ｒ型の抵抗ラダー回路から構成された電圧生成部１１２Ａ，１１３Ａを有する。
【００８９】
電圧生成部１１２Ａは、一端が電源ラインＶＣＣに接続され、他端がスイッチＳＷ０ｔの一端に接続された抵抗Ｒ１と、一端が電源ラインＶＣＣに接続され、他端が出力端子ＯＵＴに接続された抵抗Ｒ３と、抵抗Ｒ１の他端と抵抗Ｒ３の他端との間に接続された抵抗Ｒ２とを含む。
【００９０】
電圧生成部１１３Ａは、一端が電源ラインＶＣＣに接続され、他端がスイッチＳＷ１ｔの一端に接続された抵抗Ｒ４と、一端が電源ラインＶＣＣに接続され、他端が出力端子ＯＵＴに接続された抵抗Ｒ６と、抵抗Ｒ４の他端と抵抗Ｒ６の他端との間に接続された抵抗Ｒ５とを含む。
ここで、抵抗Ｒ１＝Ｒ２＝Ｒ４＝Ｒ５＝ｒとしたとき、抵抗Ｒ３＝Ｒ６＝２ｒである。
【００９１】
これによれば、負荷抵抗としての抵抗Ｒ１〜Ｒ３および抵抗Ｒ４〜Ｒ６によって各電流源Ｉ０〜Ｉ２の電流値の重みづけを調整することができるので、各電流源Ｉ０〜Ｉ２の電流値のみによって駆動電圧Ｖｏｕｔ（モニタ用電圧Ｖｏｕｔｘ）の変化量Ｖ１，Ｖ２，Ｖ３を調整する場合に比べて、電流の増加を抑えることができ、駆動回路の低消費電力化が可能となる。
【００９２】
以上、実施の形態３に係る駆動回路１Ｃによれば、実施の形態２に係る駆動回路１Ａと同様に、コストの増大を抑えつつ、ＥＡ変調器の非線形な消光特性に適応したＰＡＭ４用の駆動電圧を生成することができるとともに、消費電力を抑えることができる。
【００９３】
以上、本発明者らによってなされた発明を実施の形態に基づいて具体的に説明したが、本発明はそれに限定されるものではなく、その要旨を逸脱しない範囲において種々変更可能であることは言うまでもない。
【００９４】
例えば、光変調器４として、ＥＡ変調器を例示したが、これに限られず、その他の変調器も適用することができる。この場合、駆動対象の光変調器の消光特性に対応するように、電流Ｉ０〜Ｉ３を調整すればよい。
【００９５】
また、実施の形態３において、Ｒ−２Ｒ型の抵抗ラダー回路を実施の形態２に係る駆動回路１Ａに適用する場合を例示したが（図１２参照）、これに限られず、図３に示した実施の形態１に係る駆動回路１において、電圧生成部１１２の代わりに、Ｒ−２Ｒ型の抵抗ラダー回路から成る電圧生成部１１２Ａを適用することも可能である。
【符号の説明】
【００９６】
１００…光送信器、１，１Ａ，１Ｂ，１Ｃ…駆動回路、２…ディジタル信号処理装置、３…発光部、４…ＥＡ変調器（光変調器）、Ｄ１，Ｄ１…ディジタル信号、ＤＡＴＡ…データ（電気信号）、ＩＮ０，ＩＮ１…入力端子、ＯＵＴ，ＯＵＴｘ…出力端子、Ｖｏｕｔ…駆動電圧、Ｖｏｕｔｘ…モニタ用の電圧、１１，１１Ａ，１１Ｃ…ディジタル／アナログ変換部、１２，１２Ａ，１２Ｂ…非線形補償部、ＶＣＣ，ＶＥＥ…電源電圧、電源ライン、１１０，１１１…制御回路、１１２，１１３，１１２Ａ，１１３Ａ…電圧発生部、１１４，１１５，１１４Ａ，１１５Ｂ，１２１，１２２…電流回路、１２０，１２０＿１，１２０＿２…非線形補償制御回路、ＣＮ０，ＣＮ０ｘ，ＣＮ１，ＣＮ１ｘ，ＣＮ２，ＣＮ２ｘ，ＣＮ３，ＣＮ３ｘ…信号、ＭＴ，ＭＣ，ＬＴ，ＬＣ…入力端子、ＱＴ，ＱＣ…出力端子、ＳＷ０ｔ，ＳＷ０ｃ，ＳＷ１ｔ，ＳＷ１ｃ，ＳＷ２ｔ，ＳＷ２ｃ，ＳＷ３ｔ，ＳＷ３ｃ，ＳＷａ〜ＳＷｄ…スイッチ、Ｒ，Ｒａ，Ｒｂ，Ｒ１〜Ｒ６…抵抗、Ｉ０，Ｉ１，Ｉ２，Ｉ３，Ｉ…電流源、電流。
【図１】
0006491129.tif 000002
【図２】
0006491129.tif 000003
【図３】
0006491129.tif 000004
【図４】
0006491129.tif 000005
【図５】
0006491129.tif 000006
【図６】
0006491129.tif 000007
【図７Ａ】
0006491129.tif 000008
【図７Ｂ】
0006491129.tif 000009
【図８】
0006491129.tif 000010
【図９】
0006491129.tif 000011
【図１０】
0006491129.tif 000012
【図１１】
0006491129.tif 000013
【図１２】
0006491129.tif 000014
【図１３】
0006491129.tif 000015
【図１４】
0006491129.tif 000016
【図１５】
0006491129.tif 000017
【図１６】
0006491129.tif 000018
【図１７Ａ】
0006491129.tif 000019
【図１７Ｂ】
0006491129.tif 000020
【図１８】
0006491129.tif 000021